(57)【要約】【課題】  従来のバケツで砂浜の海岸での水汲みは、海に入らなければ上手く水を汲めなかったが、海に入らずに砂の流入が少ない水を汲み溜めることが出来るようにする。また、このバケツは岸壁などの高所からの水汲みや通常使用も出来ることが望ましい。【解決手段】バケツ本体開口部の、１／４〜１／２程度に内側に湾曲または傾いた形状の仕切りを設ける。その仕切りは、波の水圧により流入時にはバケツ本体の内側に満水時には外側に可動する。また、釣り用水汲みバケツを海に投げた時の姿勢を安定させるためと、着水時仕切りが下側になるように仕切り側のバケツ側面または底面に錘を取り付ける。満水時に砂の上で安定させるためにバケツ側面に平面部分を設ける。  上記のバケツを岸壁などの高所から使用すると、仕切りがあるために水が入って来ない。これを解決するために、仕切りを着脱または開閉可能にするか錘の位置を変更すれば使用可能になる。【選択図】図１
2011015668.tif 000002
【特許請求の範囲】
【請求項１】
上方に開口部があるバケツ本体において、前記開口部に仕切りを設け、前記バケツ本体に錘を付けたことを特徴とする釣り用水汲みバケツ。
【請求項２】
前記仕切りは、前記バケツ本体内側に湾曲した形状をしていることを特徴とする請求項１記載の釣り用水汲みバケツ。
【請求項３】
前記仕切りは、前記バケツ本体内側に傾いた形状をしていることを特徴とする請求項１または請求項２記載の釣り用水汲みバケツ。
【請求項４】
前記仕切りを、着脱可能とすることができることを特徴とする請求項１，請求項２または請求項３記載の釣り用水汲みバケツ。
【請求項５】
前記仕切りを、開閉可能とすることができることを特徴とする請求項１，請求項２または請求項３記載の釣り用水汲みバケツ。
【請求項６】
前記バケツ本体の前記仕切り側側面に、平面部分があることを特徴とする請求項１記載の釣り用水汲みバケツ。
【請求項７】
前記バケツ本体に錘入れを設け、前記錘の位置を変更することができることを特徴とする請求項１記載の釣り用水汲みバケツ。
【発明の詳細な説明】
【技術分野】
【０００１】  本発明は、海岸または岸壁等で水を汲むための、釣り用水汲みバケツに関する。
【背景技術】
【０００２】  釣り用水汲みバケツは、海岸で水を汲んで手を洗ったり、釣った魚を入れたりするのに使用される。ところが従来の釣り用水汲みバケツは、岸壁などの高所から水を汲むバケツしかなく、砂浜の海岸では海に入らなければ、上手く水を汲むことが出来なかった。背景技術には下記のような文献がある。
【先行技術文献】
【特許文献】
【０００３】
【特許文献１】  特許公報  特許第４０３８０３２号公報
【発明の概要】
【発明が解決しようとする課題】
【０００４】  従来のバケツを使用して砂浜で水を汲む時には、寄せ波時に海に入って砂の少ない上層の水をすくい取っていた。ところが突然大きな波が来て、長靴の中に水が入ったりズボンが濡れてしまうことがあった。海に入らずにバケツを投げて水を汲もうとすると、引き波時に水と同時に砂が入って来て、最後には水はほとんど出て行って砂が残り目的を達成することが出来なかった。【０００５】  本発明の課題は、海に入らずに砂の流入が少ない水を汲み溜めることの出来る水汲みバケツの提供である。またこのバケツは、岸壁などの高所からも水を汲めることが望ましい。
【課題を解決するための手段】
【０００６】  この発明は、上方に開口部があるバケツ本体において、前記開口部に仕切りを設け、前記バケツ本体に錘を付けたことを特徴とする釣り用水汲みバケツである。【０００７】  なお、前記仕切りは、前記バケツ本体内側に湾曲した形状にすることもできる。【０００８】  また、前記仕切りは、前記バケツ本体内側に傾いた形状にすることもできる。【０００９】  また、前記仕切りを、着脱可能とすることができる。【００１０】  また、前記仕切りを、開閉可能とすることができる。【００１１】  また、前記バケツ本体の仕切り側側面に、平面部分を設けることができる。【００１２】  また、前記バケツ本体に錘入れを設け、前記錘の位置を変更することができる。
【発明の効果】
【００１３】  本発明の釣り用水汲みバケツの仕切りは、海水流入時にはバケツ内側に撓み海水が流入しやすくなり、上層の海水が流入するために砂の混入が少ない。また満水時にはバケツの外側に撓みより多くの海水を溜めることができる。バケツ本体に錘を付けたことにより投げ易く姿勢も安定し、仕切り側が確実に下になる。またバケツ本体側面に平面部分があるために満水時に転がらない。これにより、海に入ることなく砂の流入が少ない水を汲むことが可能となると共に、仕切りを着脱または開閉するか錘の位置を変更することで岸壁などの高所からの水汲みも可能になる。
【図面の簡単な説明】
【００１４】
【図１】本発明の釣り用水汲みバケツの斜視図である。
【図２】本発明の釣り用水汲みバケツの仕切りに着脱できるようにチャックを付けた上面図である。
【図３】本発明の釣り用水汲みバケツの仕切りに開閉できるようにチャックを付けた上面図である。
【図４】本発明の釣り用水汲みバケツの仕切り側側面に錘を付けた断面図である。
【図５】本発明の釣り用水汲みバケツの底面に錘を付けた断面図ある。
【図６】本発明の釣り用水汲みバケツの側面と底面の接合部に錘を付けた断面図である。
【図７】本発明の釣り用水汲みバケツが海に浮かんでいる状態の断面図である。
【図８】本発明の釣り用水汲みバケツの海水の流入状況を示す断面図である。
【図９】本発明の釣り用水汲みバケツの海水の流入状況を示す要部断面斜視図である。
【図１０】本発明の釣り用水汲みバケツの海水の満水状態を示す断面図である。
【図１１】本発明の釣り用水汲みバケツの海水の満水状態を示す斜視図である。
【図１２】本発明の釣り用水汲みバケツの仕切りが固定の場合の斜視図である。
【図１３】本発明の釣り用水汲みバケツに錘を入れる袋を仕切りと反対側の上部に取り付けた斜視図である。
【図１４】本発明の釣り用水汲みバケツに錘を入れる袋を仕切り側の下部に取り付けた要部断面斜視図である。
【図１５】本発明の釣り用水汲みバケツの仕切りをバケツ本体の縁にはめ込む構造にした要部拡大断面図である。
【発明を実施するための形態】
【００１５】  図１は本発明の釣り用水汲みバケツＢの構造を示す斜視図で、１はバケツ本体、２はバケツ平面部で、これがあると図１０，図１１の満水時に砂浜の上でバケツ本体１が転がることなく安定する。バケツ本体１は、例えばエチレン酢酸ビニル等の柔軟な素材か、ポリプロピレン等の素材で形成され、持ち運び易さや海水を入れたときの重さなどから開口部８の直径とバケツ本体の深さは、２０ｃｍ〜２５ｃｍ位が使いやすい。
【００１６】  そのバケツ本体１に取っ手５を取り付ける。紐６は使用時に取っ手５に結ぶか、ナス環１０で取り付ける。例えば取っ手５は、１ｃｍ前後の太さの紐が使いやすくバケツ本体の側面に付けた環に通して抜けないように端を縛る。紐６は岸壁からの使用も考えて１５ｍ位は必要である。
【００１７】  仕切り４は、例えばバケツ本体の素材と同じもしくは可撓性のある素材で、半月状にバケツ本体開口部８の１／４〜１／２程度を覆う。その仕切りの半月の弦にあたる部分４ａをたるませてバケツ本体１の内側に湾曲した形状にして半月の弧の部分４ｂを開口部の縁９に縫い付けるか溶着などで取り付けることで、海水流入時には水圧で仕切り４がバケツの内側に撓み海水が流入し易くなり満水時には外側に撓みより多くの海水を溜めることが出来るようになる。
【００１８】  釣り用水汲みバケツを岸壁などの高所から使用する時、仕切り４があるために水面に浮いて水を汲むことが出来ない。仕切り４を着脱するために、チャック７を図２の様に開口部の縁に沿って取り付けるか、図１５の様にバケツ本体開口部の縁９に仕切りの弧の部分を挟む構造にする。そして、取り外せば岸壁などの高所からの水汲みにも使用することが出来る。
【００１９】  また仕切り４を取り外せば通常のバケツのように水汲みが出来るが、仕切りを紛失する可能性がある。そのため図３のように仕切り４を二分するようにチャック７を取り付けて開閉可能にすれば、紛失の可能性もなくほぼ同じように水汲みが出来る。
【００２０】  また図１３、図１４のようにバケツ本体内側または外側に錘入れ１１を取り付ける。また、錘入れ１１に蓋またはチャック等を付けて錘が飛び出さないようにする。そして、海岸からの水汲みは図１４の様に仕切り側下部の錘入れ１１に錘を入れて使用する。また、岸壁などの高所からは図１３の様に仕切りと反対側上部の錘入れ１１に錘を入れて使用する。このように錘を入れ替えて使用することで仕切りを着脱や開閉をしなくても岸壁などからの水汲みが可能になる。例えば使用する錘は、釣り用の錘の３０号位が使い易い。また、状況に応じて重さを変えることができる。
【００２１】  錘３は、釣り用水汲みバケツＢを投げた時の姿勢を安定させるためと、着水時にバケツ本体が横倒しになり仕切り４が図７のように下側になるために図４のように側面または図５のように底面に取り付ける。または、図６のように側面と底面の接合部に取り付けても良い。例えば錘の位置は図４，図５，図６の様にバケツ本体の底部側に付けたほうが投げやすいし、投げた時の姿勢が安定している。また、着水後突然の背後からの波などでバケツが倒立しにくい。
【００２２】  図１２は、本発明の釣り用水汲みバケツの別例を示す斜視図で、仕切り４が最初から内側に湾曲または傾いた形状をしたものとし、この仕切りは例えばポリプロピレン等の材質で形成され外側に撓むことを想定していない。外側に撓むことを想定していなければ、釣り用水汲みバケツとして一体成形ができて造りが容易になる。
【実施例】
【００２３】  本発明の海岸での実施例を図面に基づき説明すると、寄せ波が弱まり引き波に変わる直前すなわち波が最も岸側に伸びた時に海に向かって３〜５ｍ位釣り用水汲みバケツＢを投げる。釣り用水汲みバケツＢは、紐６で引かれているために開口部８が海岸側を向いて、錘３により仕切り４を下側にして図７のように横倒しになって浮く。【００２４】  引き波になるとバケツ本体１が紐６で引かれているために、水流圧により仕切り４が内側に撓み開口部８が下がり海水が流入し易くなる。それを乗り越えて図８，図９のように海水が流入する。また、仕切りの高さにより上層の海水が流入するため砂の混入が少ない。【００２５】  波が引いて満水の状態になると、バケツ内の水圧により図１０，図１１の様に、仕切りが外側に撓んでより多くの水を溜める事が出来る。また、バケツ平面部２があるため転がらない。この状態で次の寄せ波が来る前に回収する。
【符号の説明】
【００２６】  １・・・バケツ本体
２・・・バケツ本体平面部
３・・・錘
４・・・仕切り
４ａ・・・仕切りの半月の弦の部分
４ｂ・・・仕切りの半月の弧の部分
５・・・取っ手
６・・・紐
７・・・チャック
８・・・バケツ本体開口部
９・・・バケツ本体開口部の縁
１０・・ナス環
１１・・錘入れ
Ｂ・・・釣り用水汲みバケツ
【図１】
2011015668.tif 000003
【図２】
2011015668.tif 000004
【図３】
2011015668.tif 000005
【図４】
2011015668.tif 000006
【図５】
2011015668.tif 000007
【図６】
2011015668.tif 000008
【図７】
2011015668.tif 000009
【図８】
2011015668.tif 000010
【図９】
2011015668.tif 000011
【図１０】
2011015668.tif 000012
【図１１】
2011015668.tif 000013
【図１２】
2011015668.tif 000014
【図１３】
2011015668.tif 000015
【図１４】
2011015668.tif 000016
【図１５】
2011015668.tif 000017